(57)【特許請求の範囲】
【請求項１】
踏み面を有すると共に前足部と後足部とに分割されたアウターソールと、前記アウターソールの上に前足部、踏まず部および後足部にわたって形成されたミッドソールと、前記ミッドソールの踏まず部の底面側に固着された樹脂板製の強化装置とを備えた靴底構造であって、
前記強化装置は足の内側および外側において、前記分割されたアウターソール間にアーチ状に形成され、
前記強化装置における足の内側の部分の硬度が前記強化装置における足の外側の部分の硬度よりも大きく設定されていることで、前記強化装置における足の内側の部分の曲げ剛性が、前記強化装置における足の外側の部分の曲げ剛性よりも大きく設定されている靴底構造。
【請求項２】
踏み面を有すると共に前足部と後足部とに分割されたアウターソールと、前記アウターソールの上に前足部、踏まず部および後足部にわたって形成されたミッドソールと、前記ミッドソールの踏まず部の底面側に固着された樹脂板製の強化装置とを備えた靴底構造であって、
前記強化装置は足の内側および外側において、前記分割されたアウターソール間にアーチ状に形成され、
前記強化装置における足の内側の部分の肉厚が前記強化装置における足の外側の部分の肉厚よりも大きく設定されていることで、前記強化装置における足の内側の部分の曲げ剛性が、前記強化装置における足の外側の部分の曲げ剛性よりも大きく設定されている靴底構造。
【請求項３】
前記強化装置は足の内外方向に２分割されている、
請求項１もしくは２に記載の靴底構造。
【請求項４】
前記強化装置は、足の内外の略中央に、前記アウターソールの前足部の後端から前記アウターソールの後足部の前端に向って斜め外側に傾いて配置された斜め強化部を有する、
請求項１もしくは２に記載の靴底構造。
【請求項５】
前記ミッドソールは前足部から後足部にわたって発泡体で形成され、
前記ミッドソールの踏まず部の内側は、前記ミッドソールの後足部の外側および前足部よりも硬度が大きな値に設定されている
請求項１もしくは２に記載の靴底構造。
【発明の詳細な説明】
【０００１】
【発明のバックグラウンド】
発明の分野：
本発明は、日常の外出時、ジョギング時や運動時などの際に履く靴に関し、特に、靴底の構造に関するものである。
【０００２】
従来の技術：
今日、一般的なジョギングシューズは、ミッドソールを備えている。
ミッドソールは、アウターソール（outsole,接地底）の上に配置され、着地時の衝撃を吸収する。そのため、ミッドソールには、樹脂スポンジ（発泡体）のような衝撃緩衝性および反発弾性に優れた材料が用いられている。このような諸特性を得るために、樹脂スポンジの硬度は一般に比較的小さな値に設定されている。
このように硬度の小さいミッドソールを備えた運動靴は、歩行や走行時には踏まず部の変形が激しく、そのため、使用者に疲労を与え易い。そこで、近年では強化（stiffening）装置をミッドソールの中足部の下面に固着して、前記変形の防止を図っている靴がある（たとえば、実用新案登録第2,544,047 号公報参照）。
【０００３】
図７は実用新案登録第2,544,047 号に開示された靴底構造を示す底面図である。
この先行技術では、靴底３００の外側１０および内側１１に各々強化装置３１０，３１１を設けて、靴底面に沿った面内曲げ変形を防止すると共に、足の土踏まずのアーチが低下するのを抑制している。
【０００４】
しかし、土踏まずのアーチは、内側が高く、一方、外側が低い。そのため、強化装置３１０，３１１の曲げ剛性を大きくすると、外側の低いアーチに突き上げを生じ、違和感を感じる。
一方、強化装置３１０，３１１の曲げ剛性を小さくすると、内側の高いアーチが低下して足に疲労を与え易い上、足が内側に倒れ込むプロネーションが過大になり易い。
【０００５】
図８は特開平9-47305 号に開示された靴底構造を示す斜視図である。
この先行技術では、ミッドソール３２２の上にカップ状のスタビライザー３２０，３２１を設けている。前記スタビライザー３２０，３２１は、外側１０と内側１１に分割されていると共に、両スタビライザー３２０，３２１の硬度が互いに異なる値に設定されている。しかし、この先行技術では、土踏まずのアーチを保持する構造となっておらず、したがって、土踏まずの内側のアーチの低下を何ら防止し得ない。
【０００６】
図９は、特開平5-329005号に開示された靴底の平面図である。
この先行技術では、靴底のアウターソールの後足部の内側３３１および踏まず部の内側３３２の硬度を、アウターソールの他の部分３３３の硬度よりも大きな値に設定している。しかし、この先行技術はアウターソールの硬度を設定しただけであるため、アーチの低下防止には殆ど寄与し得ない。
図１０（ａ）は特公昭61-7801 号公報に開示されたミッドソールの平面図である。図１０（ｂ）は同公報に開示されたミッドソールの側面図である。
これらの図に示すように、同公報に開示された先行技術では、該ミッドソール２００の後足部の内側１１に、ミッドソール本体２０１よりも硬度の大きいプロネーション抑制部材２０２を設けている。しかし、この先行技術は、土踏まずのアーチを保持する構造となっておらず、したがって、アーチの低下防止には殆ど寄与し得ない。
【０００７】
【発明の概要】
したがって、本発明の目的は、面内曲げ変形の抑制、外側アーチへの突き上げ抑制、内側アーチの低下の抑制ならびにプロネーション（pronation)の抑制を実現し得る靴底構造を提供することである。
【０００８】
前記目的を達成するために、本発明の一つの形態は、まず、アウターソールとミッドソールと樹脂板製の強化装置とを備えている。
前記アウターソールは、踏み面を有すると共に前足部と後足部とに分割されている。前記ミッドソールは、前記アウターソールの上に前足部、踏まず部および後足部にわたって形成されている。前記強化装置は、前記ミッドソールの踏まず部の底面側に固着されている。
前記強化装置は足の内側および外側において、前記分割されたアウターソール間にアーチ状に形成されている。本形態では、前記強化装置における足の内側の部分の硬度が、前記強化装置における足の外側の部分の硬度よりも大きく設定されている。これにより、前記強化装置における足の内側の部分の曲げ剛性が、前記強化装置における足の外側の部分の曲げ剛性よりも大きく設定されている。
【０００９】
本明細書において、「樹脂板製の強化装置」とは、樹脂を所定のアーチの形状に成型した板状ないし片状のものをいうが、編物や織物の他、紙などを樹脂と一体に成型したものであってもよい。
また、「樹脂板製」とは、強化装置の肉厚が差程大きくないことを意味するものであり、強化装置の形状を限定するものではない。
前記強化装置は、一般に、ミッドソールの踏まず部の底面に固着されて露出しており、前記強化装置の前後の端部がミッドソールとアウターソールとの間で挟み付けられる。しかし、前記前後の端部を除く強化装置は、その一部ないし全部がミッドソールの中に埋設されてもよく、ミッドソールの底面に近い側においてミッドソールに固着されていればよい。すなわち、前記強化装置は、ミッドソールの上面側ではなく、ミッドソールの底面側に固着されていればよい。
【００１０】
本発明において、「樹脂板製の強化装置の硬度が大きい」ということは、当該強化装置を構成する樹脂のヤング率（縦弾性係数）が大きいことを意味する。このように、本形態を硬度で規定した理由をつぎに述べる。すなわち、部材のヤング率が大きければ、一般に当該部材の曲げ剛性が大きくなるのであるが、市場において販売されている靴について、強化装置を構成する部材のヤング率を測定するよりも、硬度を測定する方が容易であるため、本形態ではこのように規定したのである。
なお、本発明における樹脂板製の強化装置の硬度は、たとえばＪＩＳＤ型硬度計（三角錐状の針を持つ硬度計）を用いて測定することができる。
【００１１】
一方、本発明の他の形態は、まず、アウターソールとミッドソールと樹脂板製の強化装置とを備えている。
前記アウターソールは、踏み面を有すると共に前足部と後足部とに分割されている。前記ミッドソールは、前記アウターソールの上に前足部、踏まず部および後足部にわたって形成されている。前記強化装置は、前記ミッドソールの踏まず部の底面側に固着されている。
前記強化装置は足の内側および外側において、前記分割されたアウターソール間にアーチ状に形成されている。本形態では、前記強化装置における足の内側の部分の肉厚が、前記強化装置における足の外側の部分の肉厚よりも大きく設定されている。これにより、前記強化装置における足の内側の部分の曲げ剛性が、前記強化装置における足の外側の部分の曲げ剛性よりも大きく設定されている。
【００１２】
【発明の効果】
本発明によれば、足の内側および外側に強化装置が設けられているので、アウターソールが前後に分割されていても、面内曲げを十分に抑制することができる。
特に、本発明では、強化装置における足の内側の部分の曲げ剛性が、強化装置における足の外側の部分の曲げ剛性よりも大きく設定されているので、土踏まずの外側のアーチに突き上げを感じにくくなると共に、土踏まずの内側のアーチが低下するのを抑制して、足の疲労を軽減し得る。
しかも、このように、土踏まずの内側のアーチが低下しにくくなるので、足が内側に倒れ込むのを抑制し得るから、プロネーションを抑制し得る。
【００１３】
なお、前記強化装置の曲げ剛性を樹脂の硬度により設定すれば、強化装置の厚みを適切な薄さに設定することができるから、靴底の軽量性を損なうおそれもない。
【００１４】
本発明の好適な実施例においては、強化装置を足の内外方向に２分割する。このように、２分割することにより、強化装置が土踏まずの中央部分等において切欠されたようになるので、強化装置の軽量化を図り得る。
【００１５】
また、本発明において、強化装置は足の内外の略中央に斜め強化部を有するのが好ましい。前記斜め強化部は、前後に２分割されたアウターソールの前足部の後端から前記アウターソールの後足部の前端に向って斜め外側に傾いて配置される。
足は踵の外側が爪先の内側に向って回転することでプロネーションを起こす。これに対し、前記斜め強化部は前記足の回転を抑制するように靴底の曲げ剛性を強化している。そのため、プロネーションの更なる抑制を図ることができる。
【００１６】
本発明の他の好適な実施例においては、前記ミッドソールを発泡体で形成する場合、該ミッドソールの踏まず部の内側は、ミッドソールの後足部の外側やミッドソールの前足部よりも、硬度を大きな値に設定する。
このようにミッドソールの硬度を設定することで、ミッドソールの踏まず部の内側は、圧縮変形や圧縮永久歪が小さくなる。そのため、前記ミッドソールの内側を支持する強化装置との協働作用によって、土踏まずの内側アーチの低下をより一層抑制することができる。また、硬い強化装置によりミッドソールを支持しているから、ミッドソールの硬度を差程大きくしなくても、前記アーチの低下抑制が可能となるので、土踏まずの内側アーチに違和感を感じるおそれもない。
【００１７】
【実施例の説明】
本発明は、添付の図面を参考にした以下の好適な実施例の説明からより明瞭に理解されるであろう。しかしながら、実施例および図面は単なる図示および説明のためのものである。本発明の範囲は請求の範囲に基づいて定めなければならない。添付図面において、複数の図面における同一の部品番号は、同一または相当部分を示す。
【００１８】
第１実施例
図１ないし図５は第１実施例を示す。
図３において、１Ｆ，１Ｂはアウターソール、２はミッドソール、３は甲被を包むアッパー、４は樹脂板製の強化装置である。なお、図３においては、アッパー３の部位を明瞭にするために、アッパー３を二点鎖線で示している。
【００１９】
前記アウターソール１Ｆ，１Ｂは、前足部１Ｆと後足部１Ｂとに分割されている。アウターソールの前足部１Ｆおよび後足部１Ｂは、各々、踏み面１２を有する。アウターソール１Ｆ，１Ｂは、たとえばゴムで形成されていると共に、図に示していない凹凸を有している場合が多い。
【００２０】
前記ミッドソール２は、前足部２Ｆ、踏まず部２Ｍおよび後足部２Ｂにわたって、アウターソール１Ｆ，１Ｂの上に固着されている。該ミッドソール２は、一般に、樹脂やゴムの発泡体により形成されており、衝撃緩衝性や反発弾性を備えている。
【００２１】
図２に示すように、前記強化装置４は、ミッドソール２の踏まず部２Ｍの底面側に固着されており、図１に示すように、アウターソールの前足部１Ｆと後足部１Ｂとの間に設けられている。前記強化装置４は、内側強化装置４１と外側強化装置４０とに分割されており、各々、土踏まずの内側１１および外側１０に、図３および図４（ａ）に示すように、アーチ状に形成されている。
【００２２】
図１に示すように、前記内側強化装置４１は、足の内外の略中央に設けた斜め強化部４２と、最内側の内側部４３と、前端部４４と、後端部４５，４７とが一体に成型されていると共に、中央付近に貫通孔４８を有している。前記斜め強化部４２は、アウターソールの前足部１Ｆの後端１ｆから前記アウターソールの後足部１Ｂの前端１ｂに向って斜め外側１０に傾いて配置されている。各強化装置４０，４１の前端部４９，４４は、ミッドソール２とアウターソールの前足部１Ｆとの間に挟まれている。一方、各強化装置４０，４１の後端部４６，４５，４７は、ミッドソール２とアウターソールの後足部１Ｂとの間に挟まれている。
【００２３】
前記強化装置における内側部４３の硬度は、外側強化装置４０の硬度よりも大きな値に設定されている。これにより、内側強化装置４１の内側部４３の曲げ剛性は、外側強化装置４０の曲げ剛性よりも大きな値に設定されている。なお、斜め強化部４２の硬度は内側部４３の硬度と外側強化装置４０の硬度との中間の硬度に設定するのが好ましい。
なお、図３および図４（ａ）に示すように、内側強化装置４１の内側部４３は、外側強化装置４０よりも短く、かつ、アーチの曲率が大きいことで、更に、曲げ剛性が大きくなっている。
【００２４】
図１に示すように、前記アウターソールの後足部１Ｂは、おおむね、馬蹄形に形成されていると共に、足の内外に２つに分割されている。一方、前記ミッドソール２Ｆ，２Ｍ，２Ｂは、足の内側１１から外側１０の略全域にわたって設けられている。前記ミッドソールの後足部２Ｂには、足の内外の略中央に、アウターソール１Ｂに覆われていない露出部２１が設けられている。
【００２５】
前記露出部２１には、凹所２２が形成されている。前記凹所２２は図４（ｂ）および図５（ａ）に示すように、ミッドソールの後足部２Ｂのほぼ中央において、上方に向って窪んで形成されている。なお、前記凹所２２は、ミッドソール２の横断面において最も窪みが深くなった谷底状部２２ｍを有している。図１に示すように前記谷底状部２２ｍは、靴底のおおむね長手方向５０に沿って長く形成されている。
【００２６】
図５（ａ）の横断面においては、つまり、図１の前記凹所２２の幅が最も広い箇所の靴底の横断面においては、図５（ａ）の凹所２２の幅２２ｄがミッドソール２の幅２ｄの1/4 以上1/2 以下程度となるように設定するのが好ましい。また、谷底状部２２ｍの深さ２２ｈは、成人用の靴の場合、一般に5mm 以上に設定するのが好ましい。
【００２７】
図５（ａ）および図５（ｂ）に示すように、前記凹所２２は足の内側から前記谷底状部２２ｍに近づくに従い徐々に深くなっている。一方、前記凹所２２は、前記谷底状部２２ｍから足の外側１０に近づくに従い急激に浅くなっている。すなわち、凹所２２の谷底状部２２ｍは足の内側１１よりも外側１０に片寄った位置に設けられている。これにより、ミッドソールの後足部２Ｂは、内側の部分２３よりも外側の部分２４の方が、受圧面積が小さくなっているので、着地時に圧縮変形し易い形状となっている。
【００２８】
本実施例のミッドソールは高硬度部２５と低硬度部２６とで構成されている。図２に示すように、高硬度部２５は、ミッドソールにおける後足部２Ｂの内側１１および踏まず部２Ｍの内側１１に設けられている。一方、低硬度部２６は、前記高硬度部２５以外の部分、たとえばミッドソールの後足部２Ｂの中央および外側１０や、踏まず部２Ｍの中央および外側１０、前足部２Ｆの部分に設けられている。
【００２９】
第２実施例：
図６（ａ）、図６（ｂ）および図６（ｃ）は第２実施例を示す。
本第２実施例では、内側強化装置４１の肉厚Ｔ１を、外側強化装置４０の肉厚Ｔ０よりも大きく設定している。これにより、強化装置における内側部４３の曲げ剛性が外側強化装置４０の曲げ剛性よりも大きな値に設定されている。なお、この場合、強化装置４の硬度を前述の第１実施例のように設定する必要はないが、前述の第１実施例のように、強化装置の硬度を設定してもよい。
また、図６（ｃ）に示すように、本実施例では、前記凹所２２の横断面が滑らかな曲面で形成されている。なお、前記ミッドソール２は均一な硬度で形成されている。第２実施例のその他の構成は、前記第１実施例と同様であり、同一部分または相当部分に同一符号を付してその説明および図示を省略する。
【００３０】
以上のとおり、図面を参照しながら好適な実施例を説明したが、当業者であれば、本明細書を見て、自明な範囲内で種々の変更および修正を容易に想定するであろう。
たとえば、ミッドソールの上面に凹所を設け、該凹所に硬度の小さいゴムないし樹脂の発泡体やゲルなどの緩衝部材を埋め込んでもよい。
また、本発明では凹所２２を設ける必要はない。
さらに、本発明では、ミッドソールを均一な硬度で形成してもよい。
また、前記実施例では、強化装置４を外側強化装置４０と内側強化装置４１とに分割したが、本発明では強化装置４を内外に分割せずに、一体としてもよい。この場合、図１の斜め強化部４２の後端部４７と内側強化装置４１の後端部４６とを連結するのが好ましい。
また、本発明では必ずしも斜め強化部４２を設ける必要はない。
また、アウターソール１Ｆ，１Ｂはゴム製の発泡体や非発泡体に加え、樹脂製の非発泡体の凸部を付加してもよい。
したがって、そのような変更および修正は、請求の範囲から定まる本発明の範囲内のものと解釈される。
【図面の簡単な説明】
【図１】本発明の第１実施例にかかる靴底の底面図である。
【図２】本発明の第１実施例にかかるミッドソールおよび強化装置の底面図である。
【図３】足の内側から見た靴底の側面図である。
【図４】図４（ａ）は足の外側から見た靴底の側面図である。
図４（ｂ）はミッドソールの縦断面図である。
【図５】図５（ａ）は図１のVa-Va 線断面図である。
図５（ｂ）は図１のVb-Vb 線断面図である。
【図６】図６（ａ），図６（ｂ）および図６（ｃ）はそれぞれ第２実施例を示し、図６（ａ）は足の内側から見た靴底の側面図、図６（ｂ）は足の外側から見た靴底の側面図、図６（ｃ）は靴底の後足部の横断面図である。
【図７】図７は実用新案登録第2,544,047 号公報に開示された靴底を示す底面図である。
【図８】図８は特開平9-47305 号公報に開示された靴底を示す斜視図である。
【図９】図９は特開平5-329005号公報に開示されたアウターソールを示す平面図である。
【図１０】図１０（ａ）は特公昭61-7801 号公報に開示されたミッドソールの平面図、図１０（ｂ）は同側面図である。
【符号の説明】
１Ｂ：アウターソールの後足部
１Ｆ：アウターソールの前足部
２：ミッドソール
２Ｂ：後足部
２Ｆ：前足部
２Ｍ：踏まず部
２２：凹所
２２ｄ：幅
２２ｍ：谷底状部
２５：高硬度部
２６：低硬度部
４：強化装置
４０：外側強化装置
４１：内側強化装置
４２：斜め強化部
４３：内側部
１０：外側
１１：内側
【図１】
0003816266.tif 000002
【図２】
0003816266.tif 000003
【図３】
0003816266.tif 000004
【図４】
0003816266.tif 000005
【図５】
0003816266.tif 000006
【図６】
0003816266.tif 000007
【図７】
0003816266.tif 000008
【図８】
0003816266.tif 000009
【図９】
0003816266.tif 000010
【図１０】
0003816266.tif 000011